(57)【要約】【課題】複数のレンズ枠を備えたレンズ鏡筒において、沈胴時の薄型化を図りつつ、衝撃等によるフォロワピンの脱落等を防止する。【解決手段】カム溝３３，３４を有するカム筒３０、カム筒の内側において光軸方向に配列されると共にカム溝に係合するフォロワピン４３，５３をそれぞれ有する少なくとも２つのレンズ枠４０，５０、カム筒３０及びレンズ枠４０，５０の間に配置されてフォロワピン４３、５３を光軸方向に案内するガイド溝６１、６２を有するガイド筒６０を備え、２つのレンズ枠４０，５０は、沈胴状態において、一方のレンズ枠５０が他方のレンズ枠４０の内側から外側にまわり込んで光軸方向Ｌに重なり合うように形成されている。これにより、従来のような切り欠き部を設ける必要がなく、薄型化を達成しつつ、機械的強度を高めて、フォロワピンがカム溝から脱落するのを防止できる。【選択図】図３
2008051914.tif 000002
【特許請求の範囲】
【請求項１】
内周面において回転により光軸方向にカム作用を及ぼす複数のカム溝を有するカム筒と、前記カム筒の内側において光軸方向に配列されると共に前記カム溝に係合するフォロワピンをそれぞれ有する少なくとも２つのレンズ枠と、前記カム筒及びレンズ枠の間に配置され，前記フォロワピンを光軸方向に案内するガイド溝を有するガイド筒とを備えたレンズ鏡筒であって、
前記少なくとも２つのレンズ枠は、沈胴状態において、一方のレンズ枠が他方のレンズ枠の内側から外側にまわり込んで光軸方向に重なり合うように形成されている、
ことを特徴とするレンズ鏡筒。
【請求項２】
前記少なくとも２つのレンズ枠は、広角端〜望遠端の移動範囲の所定領域において、一方のレンズ枠が他方のレンズ枠の内側から外側にまわり込んで光軸方向に重なり合うように形成されている、
ことを特徴とする請求項１記載のレンズ鏡筒。
【請求項３】
前記少なくとも２つのレンズ枠は、光軸方向の前方から順に配列された第１レンズ枠及び第２レンズ枠を含み、
前記第１レンズ枠は、レンズを保持する第１保持部、前記第１保持部の周りに形成された第１筒状部、前記第１筒状部の外側に設けられた第１フォロワピンを含み、
前記第２レンズ枠は、レンズを保持する第２保持部、前記第２保持部から径方向に伸長すると共に前記第１筒状部の内側から外側にまわり込むように屈曲して形成された屈曲部と、前記屈曲部に設けられた第２フォロワピンを含む、
ことを特徴とする請求項１又は２に記載のレンズ鏡筒。
【請求項４】
前記屈曲部は、前記ガイド筒のガイド溝に収まる厚さに形成されている、
ことを特徴とする請求項３記載のレンズ鏡筒。
【請求項５】
前記カム筒は、所定の内径をなす第１内周面と、前記第１内周面よりも大きい内径をなす第２内周面と、前記第１フォロワピンを係合させる第１カム溝と、前記第２フォロワピンを係合させる第２カム溝を含み、
前記第１カム溝は、前記第１内周面及び第２内周面に形成され、
前記第２カム溝は、前記第２内周面に形成され、
前記屈曲部は、前記ガイド筒のガイド溝から径方向外側に突出するように形成されている、
ことを特徴とする請求項３記載のレンズ鏡筒。
【発明の詳細な説明】
【技術分野】
【０００１】
本発明は、光軸方向においてレンズを移動させるレンズ鏡筒に関し、特に、レンズを保持した複数のレンズ筒を光軸方向に相対的に移動させるレンズ鏡筒に関する。
【背景技術】
【０００２】
従来のレンズ鏡筒としては、図１１に示すように、ベース１に固定され内周面にカム溝をもつ固定筒２、固定筒２の内側に回転自在に配置されてカム作用により光軸方向Ｌに移動すると共に内周面にカム溝をもつ回転筒３、回転筒３の内側に配置されてカム作用により光軸方向Ｌに相対的に移動する第１レンズ筒（直進筒）４及び第２レンズ筒５、第１レンズ筒４及び第２レンズ筒５を回転不能に規制して光軸方向Ｌにのみガイドするガイド筒（キー筒）６、回転筒３を駆動する駆動機構等を備え、回転筒３を回転駆動することにより、第１レンズ筒４及び第２レンズ筒５を光軸方向Ｌに相対的に移動させてズーミングを行わせ、沈胴時において、第１レンズ筒と第２レンズ筒の一部を光軸方向Ｌにおいてオーバラップさせるものが知られている（例えば、特許文献１、特許文献２、特許文献３参照）。
【０００３】
しかしながら、このレンズ鏡筒においては、第１レンズ筒４と第２レンズ筒５を光軸方向Ｌにおいてオーバラップさせるために、第１レンズ筒４の壁面に対して光軸方向Ｌに長尺な切り欠き部４ａを設け、この切り欠き部４ａに対して第２レンズ筒５のフォロワピンを保持した腕部５ａが入り込むようにしている。
したがって、外側に位置する第１レンズ筒４の機械的強度が低下し、レンズ鏡筒が落下等により衝撃を受けると、第１レンズ筒４のフォロワピンが回転筒のカム溝から脱落し、第１レンズ筒４が回転筒３の内部に陥没する虞があった。
また、第１レンズ筒４のレンズから進入した光が、切り欠き部４ａを通して内部に漏れ、ゴースト・フレア等を発生させる虞があった。
さらに、第１レンズ筒４に設ける切り欠き部４ａの長さには限界があり、沈胴時の全長を短くして薄型化を図るのを困難にしていた。
【０００４】
【特許文献１】特開２００３−５７７０５号公報
【特許文献２】特開２００１−２１５３８７号公報
【特許文献３】特開２００４−２５２３６５号公報
【発明の開示】
【発明が解決しようとする課題】
【０００５】
本発明は、上記従来技術の問題点に鑑みて成されたものであり、その目的とするところは、光軸方向における全長の短縮化、薄型化、径方向の小型化等を図りつつ、レンズ鏡筒の機械的強度を確保し、光漏れ、ゴースト・フレア等の現象を防止でき、特に沈胴時の薄型化が図れるレンズ鏡筒を提供することにある。
【課題を解決するための手段】
【０００６】
本発明のレンズ鏡筒は、内周面において回転により光軸方向にカム作用を及ぼす複数のカム溝を有するカム筒と、カム筒の内側において光軸方向に配列されると共にカム溝に係合するフォロワピンをそれぞれ有する少なくとも２つのレンズ枠と、カム筒及びレンズ枠の間に配置され，フォロワピンを光軸方向に案内するガイド溝を有するガイド筒とを備えたレンズ鏡筒であって、上記少なくとも２つのレンズ枠は、沈胴状態において、一方のレンズ枠が他方のレンズ枠の内側から外側にまわり込んで光軸方向に重なり合うように形成されている、ことを特徴としている。
この構成によれば、少なくとも２つのレンズ枠は、それぞれのフォロワピンがガイド筒のガイド溝を通してカム筒のカム溝に係合されており、この状態で、カム筒が回転すると、ガイド筒により光軸回りの回転が規制された状態で、２つのレンズ枠は、光軸方向に相対的に移動する。そして、沈胴状態においては、一方のレンズ枠が他方のレンズ枠の内側から外側にまわり込んで光軸方向に重なり合う（オーバラップする）ようになっている。
したがって、他方のレンズ枠に従来の切り欠き部を設ける必要がないため、沈胴時におけるレンズ鏡筒の薄型化、小型化を達成しつつ、他方のレンズ枠の機械的強度を高めることができると共にフォロワピンのカム溝からの脱落等を防止でき、又、切り欠き部を通して生じる光漏れ、ゴースト・フレア等の現象を防止することができる。
【０００７】
上記構成において、少なくとも２つのレンズ枠は、広角端〜望遠端の移動範囲の所定領域において、一方のレンズ枠が他方のレンズ枠の内側から外側にまわり込んで光軸方向に重なり合うように形成されている、構成を採用することができる。
この構成によれば、広角端〜望遠端の移動範囲の所定領域においても、一方のレンズ枠が他方のレンズ枠の内側から外側にまわり込んで光軸方向に重なり合う（オーバラップする）ようになっているため、上記のように、他方のレンズ枠の機械的強度を高めることができると共にフォロワピンのカム溝からの脱落等を防止でき、又、切り欠き部を通して生じる光漏れ、ゴースト・フレア等の現象を防止することができ、さらに、２つのレンズ枠に保持されるレンズの相対的な移動量を大きくすることができ、ズームレンズとして設定される仕様の範囲を広げることができる。
【０００８】
上記構成において、少なくとも２つのレンズ枠は、光軸方向の前方から順に配列された第１レンズ枠及び第２レンズ枠を含み、第１レンズ枠は、レンズを保持する第１保持部、第１保持部の周りに形成された第１筒状部、第１筒状部の外側に設けられた第１フォロワピンを含み、第２レンズ枠は、レンズを保持する第２保持部、第２保持部から径方向に伸長すると共に第１筒状部の内側から外側にまわり込むように屈曲して形成された屈曲部と、屈曲部に設けられた第２フォロワピンを含む、構成を採用することができる。
この構成によれば、第１レンズ枠は、第１保持部，第１筒状部，及び第１フォロワピンを含んで、物体側に配置され、第２レンズ枠は、第２保持部，屈曲部，及び第２フォロワピンを含んで、第１レンズ枠の後方に配置されている。
そして、第１レンズ枠と第２レンズ枠は、沈胴状態において、第２レンズ枠の屈曲部が第１レンズ枠の第１筒状部を内側から外側にまわり込んで光軸方向に重なり合う（オーバラップする）ようになっている。
すなわち、第１筒状部に従来のような切り欠き部を設けることなく、第１レンズ枠と第２レンズ枠を光軸方向において重なり合わせることができ、沈胴時の薄型化を達成しつつ、機械的強度を確保することができ、それ故に、落下等により外部から衝撃等を受けても、所期の機能を維持することができる。
【０００９】
上記構成において、屈曲部は、ガイド筒のガイド溝に収まる厚さに形成されている、構成を採用することができる。
この構成によれば、第１レンズ枠は、その第１筒状部がガイド筒の内側に配置され（例えば、内周面に摺動するように保持され）、その第１フォロワピンがガイド筒の内側からガイド溝を通して外側に位置するカム筒のカム溝に係合させられ、第２レンズ枠は、その第２保持部から延出する屈曲部がガイド筒のガイド溝内に収まって光軸回りの回転が規制されると共に、屈曲部の外側に設けられた第２フォロワピンがガイド筒の外側に位置するカム筒のカム溝に係合させられている。
したがって、屈曲部を配置する空間として専用の空間を設ける必要がなく、構造の簡素化、小径化を達成しつつ、沈胴時における薄型化を達成することができる。
【００１０】
上記構成において、カム筒は、所定の内径をなす第１内周面と、第１内周面よりも大きい内径をなす第２内周面と、第１フォロワピンを係合させる第１カム溝と、第２フォロワピンを係合させる第２カム溝を含み、第１カム溝は、第１内周面及び第２内周面に形成され、第２カム溝は、第２内周面に形成され、屈曲部は、ガイド筒のガイド溝から径方向外側に突出するように形成されている、構成を採用することができる。
この構成によれば、カム筒は、内径の異なる二段内周面（小径の第１内周面及び大径の第２内周面）を有するため、第１レンズ枠と第２レンズ枠を間違いなく確実に組付けることができ、又、ガイド筒の肉厚を厚くすることなく、屈曲部の厚さを大きくして機械的強度及び嵌合精度をさらに高めることができる。
【発明の効果】
【００１１】
上記構成のレンズ鏡筒によれば、光軸方向における全長の短縮化、薄型化、さらには径方向における小型化等を達成しつつ、レンズ鏡筒の機械的強度を確保でき、又、光漏れあるいはゴースト・フレア等の現象を防止できるレンズ鏡筒を得ることができる。
【発明を実施するための最良の形態】
【００１２】
以下、本発明の最良の実施形態について、添付図面を参照しつつ説明する。
図１ないし図４は、本発明に係るレンズ鏡筒を組み込んだレンズ駆動装置の一実施形態を示すものであり、図１は装置の分解斜視図、図２はレンズ鏡筒に含まれる第２レンズ枠を示す斜視図、図３及び図４は装置の断面図である。
【００１３】
この装置は、図１ないし図４に示すように、ガラスフィルタ１１、撮像素子としてのＣＣＤ１２等が取り付けられた略矩形形状の輪郭をなすベース１０、ベース１０に固着された固定筒２０、固定筒２０の内側において回転及び直進自在に支持されたカム筒３０、カム筒３０の内側において光軸方向Ｌにそれぞれ移動自在に支持された第１レンズ枠４０及び第２レンズ枠５０、第１レンズ枠４０及び第２レンズ枠５０の回転を規制しつつ光軸方向に案内するガイド筒６０、ベース１０に対して光軸方向Ｌに移動自在に支持された第３レンズ枠７０、カム筒３０を駆動する駆動機構８０、第３レンズ枠７０を駆動する駆動機構（不図示）等を備えている。
【００１４】
固定筒２０は、図１、図３、図４に示すように、光軸方向Ｌに軸心をもつように樹脂材料により円筒状に形成されて、ベース１０に固着されている。固定筒２０の内周面２０ａには、後述する３つのフォロワピン３１に対してカム作用を及ぼす３つのカム溝２１（図においては一部を省略）が形成されている。
【００１５】
カム筒３０は、図１、図３及び図４に示すように、樹脂材料により円筒状に形成されて、固定筒２０の内側に入れ子状に同軸に配置されている。カム筒３０の外周面３０ａには、周方向において等間隔（約１２０度ごと）に配置された３つのフォロワピン３１、外部から回転駆動力が伝えられる円弧状のラック部３２等が形成されている。
カム筒３０の内周面３０ｂには、図３及び図４に示すように、光軸方向Ｌにおいて第１レンズ枠４０にカム作用を及ぼす３つのカム溝３３、光軸方向Ｌにおいて第２レンズ枠５０にカム作用を及ぼす３つのカム溝３４、光軸方向Ｌの前方領域において後述するガイド筒６０の係合片６３を受け入れる環状溝３５が形成されている。
【００１６】
カム溝３３は、図３及び図４に示すように、後述する第１フォロワピン４３を受け入れる（係合させる）ように、断面が略Ｖ字状に形成されている。すなわち、カム溝３３が、第１フォロワピン４３を介してカム作用を及ぼすことで、第１レンズ枠４０を光軸方向Ｌに移動させるようになっている。
カム溝３４は、図３及び図４に示すように、後述する第２フォロワピン５３を受け入れる（係合させる）ように、断面が略Ｖ字状に形成されている。すなわち、カム溝３４が、第２フォロワピン５３を介してカム作用を及ぼすことで、第２レンズ枠５０を光軸方向Ｌに移動させるようになっている。
【００１７】
第１レンズ枠４０は、図１、図３、図４に示すように、樹脂材料により略円筒状に形成されて、レンズＧ１を保持する第１保持部４１、第１保持部４１を取り囲むように周りに形成された第１筒状部４２、第１筒状部４２の外側において径方向外向きに突出するように設けられた３つの第１フォロワピン４３等を備えている。３つの第１フォロワピン４３は、周方向において等間隔（１２０度の角度ごとに）で配置されて、それぞれカム溝３３に摺動自在に係合するように略円錐状に形成されている。
そして、第１レンズ枠４０は、カム筒３０が回動してカム溝３３が第１フォロワピン４３にカム作用を及ぼすことにより、光軸方向Ｌにおいて前進及び後退するようになっている。
【００１８】
第２レンズ枠５０は、図１ないし図４に示すように、樹脂材料により略円筒状に形成されて、レンズＧ２を保持する第２保持部５１、第２保持部５１から径方向に伸長（延出）すると共に第１筒状部４２の内側から外側にまわり込むように屈曲して形成された屈曲部５２、屈曲部５２に対して径方向外向きに突出するように設けられた３つの第２フォロワピン５３等を備えている。３つの第２フォロワピン５３は、周方向において等間隔（１２０度の角度ごとに）で配置されて、それぞれカム溝３４に摺動自在に係合するように略円錐状に形成されている。
そして、第２レンズ枠５０は、カム筒３０が回動してカム溝３４が第２フォロワピン５３にカム作用を及ぼすことにより、光軸方向Ｌにおいて前進及び後退するようになっている。
【００１９】
ここで、屈曲部５２は、図１ないし図４に示すように、略Ｌ字状に屈曲して形成されて、第２保持部５１から径方向外向きに伸長する腕部５２ａ、腕部５２ａから略９０度前方に向けて屈曲し後述するガイド筒６０のガイド溝６２に摺動自在に嵌合される摺動部５２ｂを備えている。摺動部５２ｂは、図３及び図４に示すように、ガイド筒６０の厚さ（ガイド溝６２の深さ）と略同一の厚さに形成されている。
これにより、第２レンズ枠５０は、屈曲部５２が後述するガイド筒６０のガイド溝６２内に収まって光軸Ｌ回りの回転が規制されると共に、屈曲部５２の外側に設けられた第２フォロワピン５３がガイド筒６０の外側に位置するカム筒３０のカム溝３４に係合させられるようになっている。したがって、屈曲部５２を配置する空間として専用の空間を設ける必要がなく、構造の簡素化、小径化を達成しつつ、沈胴時における薄型化を達成することができる。
【００２０】
すなわち、第２レンズ枠５０は、図３に示すように、沈胴状態において、屈曲部５２が第１レンズ枠４０の第１筒状部４２の内側から外側にまわり込んで光軸方向Ｌに重なり合うようになっている。
したがって、第１レンズ枠４０の第１筒状部４２には、第２フォロワピン５３を保持する部分との干渉を防止するための切り欠き部を設ける必要がないため、沈胴時におけるレンズ鏡筒の薄型化、小型化を達成しつつ、その機械的強度を高めることができ、衝撃等により第１フォロワピン４３がカム溝３３から脱落するのを防止することができる。また、従来のような切り欠き部を設けないため、第１筒状部４２の隙間を通して生じる光漏れ、ゴースト・フレア等の現象を防止することができる。
【００２１】
ガイド筒６０は、図１、図３及び図４に示すように、第１レンズ枠４０及び第２レンズ枠５０とカム筒３０との間に配置されて、第１レンズ枠４０及び第２レンズ枠５０を、光軸Ｌ回りの回転を規制しつつ光軸方向Ｌへ往復動自在に案内するものである。
すなわち、ガイド筒６０は、第１レンズ枠４０の第１フォロワピン４３を受け入れて光軸方向Ｌに案内する３つのガイド溝６１、第２レンズ枠５０の第２フォロワピン５３を受け入れて光軸方向Ｌに案内する３つのガイド溝６２、カム筒３０の内周面３０ｂに形成された環状溝３５に係合される３つの係合片６３、固定筒２０に対して回転不能にかつ光軸方向Ｌに移動自在に係合される突起６４等を備えている。
尚、ここでは、ガイド溝６１及びガイド溝６２は、それぞれ周方向において等間隔（１２０度の角度ごとに）で配置され、又、切り欠かれて光軸方向Ｌに伸長するスリット形状（長孔形状）に形成されており、カム筒３０の内周面３０ｂと協働して溝形状を画定するものである。
【００２２】
そして、ガイド筒６０は、カム筒３０の内周面３０ｂに嵌合されて、光軸方向Ｌにおいて相対的に移動しない（抜け落ちない）ように係合片６３が環状溝３５に係合され、又、ガイド筒６０が回転しないように（カム筒３０がガイド筒６０に対して相対的に回転するように）その突起６４が固定筒２０に掛止されている。
したがって、カム筒３０が回転すると、ガイド筒６０のガイド溝６１がカム溝３３によりカム作用が及ぼされる第１フォロワピン４３を光軸方向Ｌにおいてのみ往復動自在に案内し、又、ガイド筒６０のガイド溝６２がカム溝３４によりカム作用が及ぼされる第２フォロワピン５３を光軸方向Ｌにおいてのみ往復動自在に案内するようになっている。
【００２３】
第３レンズ枠７０は、図１、図３、図４に示すように、レンズＧ３を保持し、駆動機構（不図示）により光軸方向Ｌに前進及び後退して合焦動作を行うようになっている。
【００２４】
駆動機構８０は、図１に示すように、ベース１０に固定されたＤＣモータ８１、カム筒３０のラック部３２と噛合する歯車列（不図示）等を備えており、ＤＣモータ８１の駆動力をカム筒３０に伝達するようになっている。
すなわち、ＤＣモータ８１が一方向に回転すると、歯車列を介してカム筒３０が固定筒２０に対して相対的に一方向に回転し、図３に示す沈胴位置から広角端位置を経て、第１レンズ枠４０及び第２レンズ枠５０が光軸方向Ｌの前方に移動して、図４に示すように望遠端位置に移動し、一方、ＤＣモータ８１が逆向きに回転すると、歯車列を介してカム筒３０が固定筒２０に対して相対的に逆向きに回転し、第１レンズ枠４０及び第２レンズ枠５０が光軸方向Ｌの後方に移動して広角端位置を経た後に、図３に示すように沈胴位置に移動するようになっている。
【００２５】
次に、上記のレンズ鏡筒を備えるレンズ駆動装置がデジタルカメラに搭載された場合の一般的な動作について説明すると、先ず非撮影時において、第１レンズ枠４０及び第２レンズ枠５０、及び第３レンズ枠７０は、図３に示すように、光軸方向Ｌの後方に向けて後退した沈胴位置にある。
この沈胴状態においては、第２レンズ枠５０は、その屈曲部５２が第１レンズ枠４０の第１筒状部４２を内側から外側にまわり込むようにして、第１レンズ枠４０と光軸方向Ｌに重なり合った状態になっている。
したがって、沈胴時において、光軸方向Ｌの薄型化、小型化を達成することができる。
【００２６】
この沈胴位置から、駆動機構８０によりカム筒３０が回転させられると、フォロワピン３１がカム溝２１に案内されて移動し、カム筒３０は光軸方向Ｌの前方に向かって繰り出す。また、カム筒３０の回転により、第１フォロワピン４３がガイド溝６１により光軸方向Ｌにのみ案内されつつカム溝３３によるカム作用を受け、かつ、第２フォロワピン５３がガイド溝６２により光軸方向Ｌにのみ案内されつつカム溝３４によるカム作用を受けて、第１レンズ枠４０及び第２レンズ枠５０は、回転が規制されつつ光軸方向Ｌに移動し、図４に示す望遠端位置に至る。一方、第３レンズ枠７０は、別の駆動機構により、第１レンズ枠４０及び第２レンズ枠５０の位置に応じた合焦位置に移動する。
一方、駆動機構８０が逆向きに駆動力を及ぼすことにより、第１レンズ枠４０及び第２レンズ枠５０は逆の経路を辿って、図３に示す沈胴位置に戻り、第３レンズ枠７０も図３に示す沈胴位置に戻る。
【００２７】
この一連の動作中において、外部から衝撃等を受けても、第１レンズ枠４０及び第２レンズ枠５０は、切り欠き部等を設けず堅固に形成されているため、第１フォロワピン４３及び第２フォロワピン５３は、カム溝３３，３４から外れることなく、カム溝３３，３４に沿って円滑に移動し、円滑なズーミング動作が得られ、機能上の信頼性が確保される。
【００２８】
図５ないし図１０は、本発明に係るレンズ鏡筒の他の実施形態を示すものであり、図５はこのレンズ鏡筒を備えたレンズ駆動装置の分解斜視図、図６はレンズ鏡筒が沈胴位置にある状態を示す装置の断面図、図７はレンズ鏡筒が広角端位置にある状態を示す装置の断面図、図８はレンズ鏡筒が中間位置にある状態を示す装置の断面図、図９はレンズ鏡筒が望遠端位置にある状態を示す装置の断面図、図１０はカム筒の内周面の一部を示す部分展開図である。尚、この実施形態において、前述の実施形態と同一の構成については同一の符号を付してその説明を省略する。
【００２９】
この装置は、図５ないし図９に示すように、ベース１０、固定筒２０、固定筒２０の内側において回転及び直進自在に支持されたカム筒３０´、カム筒３０´の内側において光軸方向Ｌにそれぞれ移動自在に支持された第１レンズ枠４０´及び第２レンズ枠５０´、第１レンズ枠４０´及び第２レンズ枠５０´の回転を規制しつつ光軸方向Ｌに案内するガイド筒６０、カム筒３０´を駆動する駆動機構８０等を備えている。
【００３０】
カム筒３０´は、図５ないし図１０に示すように、樹脂材料により円筒状に形成されて、固定筒２０の内側に入れ子状に同軸に配置されている。カム筒３０´の外周面３０ａには、３つのフォロワピン３１、円弧状のラック部３２等が形成されている。
カム筒３０の内周面は、図５ないし図１０に示すように、境界線ＢＬ（図１０参照）を境に、所定の内径をなす第１内周面６０ｂ´及び第１内周面６０ｂ´よりも大きい内径をなす第２内周面６０ｂ´´により形成されている。
そして、第１内周面６０ｂ´及び第２内周面６０ｂ´´には、光軸方向Ｌにおいて第１レンズ枠４０´にカム作用を及ぼす３つの第１カム溝３３´形成され、第２内周面６０ｂ´´には、光軸方向Ｌにおいて第２レンズ枠５０´にカム作用を及ぼす３つの第２カム溝３４´が形成されている。尚、第１内周面６０ｂ´には、光軸方向Ｌの前方領域において、ガイド筒６０の係合片６３を受け入れる環状溝３５が形成されている。
【００３１】
第１カム溝３３´は、図６ないし図９に示すように、第１フォロワピン４３を受け入れる（係合させる）ように略Ｖ字状の断面に形成され、第１フォロワピン４３にカム作用を及ぼすことで、第１レンズ枠４０´を光軸方向Ｌに移動させるようになっている。
第２カム溝３４´は、図６ないし図９に示すように、第２フォロワピン５３を受け入れる（係合させる）ように略Ｖ字状の断面に形成され、第２フォロワピン５３にカム作用を及ぼすことで、第２レンズ枠５０´を光軸方向Ｌに移動させるようになっている。
【００３２】
第１レンズ枠４０´は、図５ないし図９に示すように、樹脂材料により略円筒状に形成されて、第１保持部４１´、第１保持部４１´を取り囲むように周りに形成された第１筒状部４２、第１筒状部４２の外側において径方向外向きに突出するように設けられ第１カム溝３３´に摺動自在に係合する３つの第１フォロワピン４３、第１保持部４１´を第１筒状部４２に対して光軸方向Ｌに駆動する駆動機構４４等を備えている。
駆動機構４４は、第１保持部４１´に固定されたナット４４ａ、ナット４４ａに螺合し第１筒状部４２に回動自在に支持されたリードスクリュー４４ｂ、リードスクリュー４４ｂを回転駆動する歯車４４ｃ及びモータ（不図示）等により形成されている。
そして、第１レンズ枠４０´は、カム筒３０´が回動して第１カム溝３３´が第１フォロワピン４３にカム作用を及ぼすことにより、光軸方向Ｌにおいて前進及び後退すると共に、第１保持部４１´が、駆動機構４４により第１筒状部４２に対して相対的に移動するようになっている。
【００３３】
第２レンズ枠５０´は、図５ないし図９に示すように、樹脂材料により略円筒状に形成されて、レンズＧ２を保持する第２保持部５１、第２保持部５１から径方向に伸長（延出）すると共に第１筒状部４２の内側から外側にまわり込むように屈曲して形成された屈曲部５２´、屈曲部５２´に対して径方向外向きに突出するように設けられ第２カム溝３４´に摺動自在に係合する３つの第２フォロワピン５３、シャッタ機構５４等を備えている。
そして、第２レンズ枠５０´は、カム筒３０´が回動して第２カム溝３４´が第２フォロワピン５３にカム作用を及ぼすことにより、光軸方向Ｌにおいて前進及び後退するようになっている。
【００３４】
ここで、屈曲部５２´は、図６ないし図９に示すように、略Ｌ字ないしコ字状に屈曲して形成されて、第２保持部５１から径方向外向きに伸長する腕部５２ａ´、腕部５２ａ´から略９０度前方に向けて屈曲する摺動部５２ｂ´を備えている。
摺動部５２ｂ´は、その側面がガイド溝６２に摺動自在に嵌合されると共に、ガイド溝６２から径方向外側に突出して、その端面がカム筒３０´の第２内周面６０ｂ´´に摺動自在に接触している。
そして、摺動部５２ｂ´の端面から突出した第２フォロワピン５３が、カム筒３０´の第２カム溝３４´に摺動自在に係合している。
すなわち、屈曲部５２´は、図６ないし図９に示すように、ガイド筒６０のガイド溝６２から径方向外向きに突出するように形成されている。これにより、第２レンズ枠５０´は、ガイド筒３０´の肉厚を厚くすることなく、屈曲部５２´の厚さを大きくして、機械的強度及び嵌合精度をさらに高めることができる。
【００３５】
そして、第２レンズ枠５０´は、図６、図８、図９に示すように、沈胴位置だけでなく、広角端〜望遠端の移動範囲の所定領域すなわち中間位置及び望遠端位置においても、屈曲部５２´が第１レンズ枠４０´の第１筒状部４２の内側から外側にまわり込んで光軸方向Ｌに重なり合うようになっている。
したがって、第１レンズ枠４０´の第１筒状部４２には切り欠き部を設ける必要がないため、沈胴時におけるレンズ鏡筒の薄型化、小型化を達成しつつ、その機械的強度を高めることができ、衝撃等により第１フォロワピン４３が第１カム溝３３´から脱落するのを防止することができる。また、従来のような切り欠き部を設けないため、第１筒状部４２の隙間を通して生じる光漏れ、ゴースト・フレア等の現象を防止することができる。
また、第１レンズ枠４０´及び第２レンズ枠５０´は、内径の異なる二段内周面（小径の第１内周面６０ｂ´及び大径の第２内周面６０ｂ´´）を有するカム筒３０´に組み付けられるため、第１レンズ枠４０´と第２レンズ枠５０´を間違いなく確実に組付けることができ、又、嵌合精度を高めることができる。
【００３６】
次に、上記のレンズ鏡筒を備えるレンズ駆動装置がデジタルカメラに搭載された場合の一般的な動作について説明すると、先ず非撮影時において、第１レンズ枠４０´及び第２レンズ枠５０´は、図６に示すように、光軸方向Ｌの後方に向けて後退した沈胴位置にある。
この沈胴状態においては、第２レンズ枠５０´は、その屈曲部５２´が第１レンズ枠４０´の第１筒状部４２を内側から外側にまわり込むようにして、第１レンズ枠４０´と光軸方向Ｌに重なり合った状態になっている。
したがって、沈胴時において、光軸方向Ｌの薄型化、小型化を達成することができる。
【００３７】
この沈胴位置から、駆動機構８０によりカム筒３０´が回転させられると、フォロワピン３１がカム溝２１に案内されて移動し、カム筒３０´は光軸方向Ｌの前方に向かって繰り出す。また、カム筒３０´の回転により、第１フォロワピン４３がガイド溝６１により光軸方向Ｌにのみ案内されつつ第１カム溝３３´によるカム作用を受け、かつ、第２フォロワピン５３がガイド溝６２により光軸方向Ｌにのみ案内されつつ第２カム溝３４´によるカム作用を受けて、第１レンズ枠４０´及び第２レンズ枠５０´は、カム筒３０´に対して回転が規制されつつ光軸方向Ｌの前方及び後方（図１０中の第１カム溝３３´，第２カム溝３４´においてＷで示す位置）に移動し、図７に示す広角端位置に至る。
【００３８】
続いて、駆動機構８０によりカム筒３０´が同一方向に回転させられると、第１レンズ枠４０´及び第２レンズ枠５０´は、カム筒３０´に対して回転が規制されつつ光軸方向Ｌの後方及び前方（図１０中の第１カム溝３３´，第２カム溝３４´においてＭで示す位置）に移動し、図８に示す中間位置に至る。
このとき、第２レンズ枠５０´の屈曲部５２´は、第１レンズ枠４０´の第１筒状部４２の内側から外側にまわり込んで所定量だけ光軸方向Ｌに重なり合った状態になる。
【００３９】
さらに、駆動機構８０によりカム筒３０´が同一方向に回転させられると、第１レンズ枠４０´及び第２レンズ枠５０´は、カム筒３０´に対して回転が規制されつつ光軸方向Ｌの前方に（図１０中のカム溝３３´，３４´においてＴで示す位置）共に移動し、図９に示す望遠端位置に至る。
このとき、第２レンズ枠５０´の屈曲部５２´は、第１レンズ枠４０´の第１筒状部４２の内側から外側にまわり込んで重なり合った状態になる。
【００４０】
一方、駆動機構８０が逆向きに駆動力を及ぼすことにより、第１レンズ枠４０´及び第２レンズ枠５０´は逆の経路を辿って、図９に示す望遠端位置から図６に示す沈胴位置に戻るようになっている。
また、第１レンズ枠４０´においては、カム筒３０´の第１カム溝３３´による移動の他に、駆動機構４４の駆動により、第１保持部４１´が第１筒状部４２に対して光軸方向Ｌに相対的に移動させられて、ズーミング動作及び合焦動作が行われるようになっている。
【００４１】
この一連の動作中において、外部から衝撃等を受けても、第１レンズ枠４０´及び第２レンズ枠５０´は、切り欠き部等を設けず堅固に形成されているため、第１フォロワピン４３及び第２フォロワピン５３は、第１カム溝３３´，第２カム溝３４´から外れることなく、第１カム溝３３´，第２カム溝３４´に沿って円滑に移動し、円滑なズーミング動作が得られ、機能上の信頼性が確保される。
また、第２レンズ枠５０´は、沈胴状態においてだけでなく、広角端〜望遠端の移動範囲の所定領域においても、第１レンズ枠４０´の内側から外側にまわり込んで光軸方向Ｌに重なり合う（オーバラップする）ようになっているため、レンズＧ１，Ｇ２の相対的な移動量を大きくすることができ、ズームレンズとして設定される仕様の範囲を広げることができる。
【００４２】
上記実施形態においては、カム筒３０，３０´により光軸方向Ｌに移動させられるレンズ枠（レンズ群）として２つのレンズ枠４０，５０、（４０´，５０´）を示したが、カム筒により駆動されるレンズ枠として、３つ以上の複数のレンズ枠を採用してもよい。
【産業上の利用可能性】
【００４３】
以上述べたように、本発明のレンズ鏡筒は、沈胴時の薄型化を達成でき、機械的強度を高めることができるため、薄型の要求が強く又携帯時の落下等が懸念されるデジタルスチルカメラ、デジタルビデオカメラ等に搭載されるのは勿論のこと、銀塩フィルム式のカメラにおいても同様に適用することができる。
【図面の簡単な説明】
【００４４】
【図１】本発明に係るレンズ鏡筒を組み込んだレンズ駆動装置の一実施形態を示す分解斜視図である。
【図２】図１に示すレンズ鏡筒に含まれる第２レンズ枠を示す斜視図である。
【図３】図１に示す装置のレンズ鏡筒が沈胴した状態を示す断面図である。
【図４】図１に示す装置のレンズ鏡筒が繰り出して望遠端位置にある状態を示す断面図である。
【図５】本発明に係るレンズ鏡筒を組み込んだレンズ駆動装置の他の実施形態を示す分解斜視図である。
【図６】図５に示す装置のレンズ鏡筒が沈胴した状態を示す断面図である。
【図７】図５に示す装置のレンズ鏡筒が広角端位置にある状態を示す断面図である。
【図８】図５に示す装置のレンズ鏡筒が繰り出して中間位置にある状態を示す断面図である。
【図９】図５に示す装置のレンズ鏡筒が繰り出して望遠端位置にある状態を示す断面図である。
【図１０】図５に示すレンズ鏡筒に含まれるカム筒の内周面の一部を示す展開図である。
【図１１】従来のレンズ鏡筒を示す断面図である。
【符号の説明】
【００４５】
Ｌ  光軸方向
Ｇ１，Ｇ２，Ｇ３  レンズ
１０  ベース
１１  ガラスフィルタ
１２  ＣＣＤ
２０  固定筒
２１  カム溝
３０，３０´  カム筒
３０ｂ  内周面
３０ｂ´  第１内周面
３０ｂ´´  第２内周面
３１  フォロワピン
３２  ラック部
３３，３４  カム溝
３３´  第１カム溝
３４´  第２カム溝
３５  環状溝
４０，４０´  第１レンズ枠（他方のレンズ枠）
４１，４１´  第１保持部
４２  第１筒状部
４３  第１フォロワピン
４４  駆動機構
５０，５０´  第２レンズ枠（一方のレンズ枠）
５１  第２保持部
５２，５２´  屈曲部
５２ａ，５２ａ´  腕部
５２ｂ，５２ｂ´  摺動部
５３  第２フォロワピン
５４  シャッタ機構
６０  ガイド筒
６１，６２  ガイド溝
６３  係合片
６４  突起
７０  第３レンズ枠
８０  駆動機構
【図１】
2008051914.tif 000003
【図２】
2008051914.tif 000004
【図３】
2008051914.tif 000005
【図４】
2008051914.tif 000006
【図５】
2008051914.tif 000007
【図６】
2008051914.tif 000008
【図７】
2008051914.tif 000009
【図８】
2008051914.tif 000010
【図９】
2008051914.tif 000011
【図１０】
2008051914.tif 000012
【図１１】
2008051914.tif 000013